【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
表示手段に対するタッチ操作を検出する検出手段と、
複数の画像のデータを一時格納する記憶手段と、
前記検出手段によって前記表示手段にタッチしたままタッチ位置を移動するタッチ操作を検出したことに応じて、前記表示手段に表示された画像をスクロールして前記記憶手段に一時格納された他の画像を表示するスクロール処理を行い、
前記検出手段によって前記表示手段にタッチしたままタッチ位置を所定の距離以上移動するタッチ操作を検出した場合は、前記記憶手段に一時格納されている前記複数の画像のデータを他の複数の画像のデータに更新し、当該他の複数の画像に含まれる画像を前記表示手段に表示する更新処理を行う表示制御手段とを備えたことを特徴とする表示制御装置。
【請求項２】
前記表示制御手段は、前記検出手段によって前記表示手段にタッチしたままタッチ位置を第１の距離以上移動するタッチ操作を検出したことに応じて、前記スクロール処理を行い、
前記検出手段によって前記表示手段にタッチしたままタッチ位置を前記第１の距離よりも長い前記所定の距離以上移動するタッチ操作を検出した場合は、前記更新処理を行うことを特徴とする請求項１に記載の表示制御装置。
【請求項３】
前記検出手段によって検出される前記表示手段にタッチしたままタッチ位置を移動するタッチ操作の移動方向が、一の往復方向であるか他の往復方向であるかを判定する判定手段を備え、
前記制御手段は、前記検出手段によって前記表示手段にタッチしたままタッチ位置を前記一の往復方向に移動するタッチ操作を検出したことに応じて、前記スクロール処理を行い、
前記検出手段によって前記表示手段にタッチしたままタッチ位置を前記他の往復方向に前記所定の距離以上移動するタッチ操作を検出した場合は、前記更新処理を行うことを特徴とする請求項１に記載の表示制御装置。
【請求項４】
前記制御手段は、前記スクロール処理において、前記一の往復方向のタッチ操作の方向の上流側に配置される画像を表示するようにスクロールし、前記更新処理において、前記他の往復方向のタッチ操作の方向に応じて前のグループに属する他の複数の画像のデータ又は次のグループに属する他の複数の画像のデータに更新することを特徴とする請求項３に記載の表示制御装置。
【請求項５】
前記表示制御手段は、前記検出手段によって前記表示手段にタッチしたままタッチ位置を前記所定の距離以上移動し、かつその移動を所定の時間以上かけて行うタッチ操作を検出した場合は、前記更新処理を行うことを特徴とする請求項１に記載の表示制御装置。
【請求項６】
外部機器の記録媒体に記録されている画像のデータを受信する受信手段を備え、
前記記憶手段は、前記受信手段で受信した複数の画像のデータを一時格納することを特徴とする請求項１乃至５のいずれか１項に記載の表示制御装置。
【請求項７】
前記受信手段は、前記外部機器と無線通信して前記画像のデータを受信することを特徴とする請求項６に記載の表示制御装置。
【請求項８】
前記外部機器はデジタルカメラであることを特徴とする請求項６または７に記載の表示制御装置。
【請求項９】
前記検出手段によって前記表示手段にタッチしたままタッチ位置を所定の距離以上を移動するタッチ操作を検出した場合、前記受信手段によって前記外部機器から複数の画像データを受信し、前記更新処理では、前記記憶手段に一時格納されている前記複数の画像のデータを、前記受信手段により受信された複数の画像のデータに更新することを特徴とする請求項６乃至８のいずれか１項に記載の表示制御装置。
【請求項１０】
前記外部機器から受信する画像のデータの通信速度を判別し、通信速度が遅いほど前記記憶手段に一時格納する画像のデータの量を少なくする手段を備えたことを特徴とする請求項６乃至９のいずれか１項に記載の表示制御装置。
【請求項１１】
前記検出手段によって前記表示手段にタッチしたままタッチ位置を所定の距離以上移動するタッチ操作を検出した場合、前記表示制御手段は、前記スクロール処理を行わないことを特徴とする請求項１乃至１０のいずれか１項に記載の表示制御装置。
【請求項１２】
前記検出手段によって前記表示手段にタッチしたままタッチ位置を前記他の往復方向に前記所定の距離以上移動するタッチ操作を検出した場合は、前記スクロール処理を行わないことを特徴とする請求項３または４に記載の表示制御装置。
【請求項１３】
表示手段に対するタッチ操作を検出する検出手段と、
複数の画像のデータを一時格納する記憶手段とを備えた表示制御装置の制御方法であって、
前記検出手段によって前記表示手段にタッチしたままタッチ位置を移動するタッチ操作を検出したことに応じて、前記表示手段に表示された画像をスクロールして前記記憶手段に一時格納された他の画像を表示するスクロール処理を行い、
前記検出手段によって前記表示手段にタッチしたままタッチ位置を所定の距離以上移動するタッチ操作を検出した場合は、前記記憶手段に一時格納されている前記複数の画像のデータを他の複数の画像のデータに更新し、当該他の複数の画像に含まれる画像を前記表示手段に表示する更新処理を行うステップを有することを特徴とする表示制御装置の制御方法。
【請求項１４】
コンピュータを、請求項１乃至１２のいずれか１項に記載された表示制御装置の各手段として機能させるためのプログラム。
【請求項１５】
複数の画像のデータを一時格納する記憶手段を有する表示制御装置の制御方法であって、
前記一時格納した複数の画像データのうちの第一の一部を表示手段に表示するよう制御する第一の表示制御ステップと、
前記表示手段に対するタッチ操作を検出する検出ステップと、
前記第一のタッチ操作に応じて前記一時格納した複数の画像データのうちの第二の一部を表示手段に表示するよう制御する第二の表示制御ステップと、
前記検出ステップによって第一のタッチ操作とは異なる第二のタッチ操作を検出した場合、外部装置から複数の画像データを受信して前記記憶手段に一時格納し、該外部装置から受信して一時格納された複数の画像データの少なくとも一部を前記表示手段に表示するよう制御する第三の表示制御ステップとを有し、
前記第一のタッチ操作は第一の軸に沿ったムーブ操作を含み、前記第二のタッチ操作は、前記第一の軸とは異なる軸に沿ったムーブ操作を含むことを特徴とする表示制御装置の制御方法。
【請求項１６】
前記第一の表示制御ステップを実行する前に、前記記憶手段に一時格納される前記複数の画像データを前記外部装置から受信する受信ステップを更に有することを特徴とする請求項１５に記載の表示制御装置の制御方法。
【請求項１７】
前記第一の軸は垂直方向であり、前記第二の軸は水平方向であることを特徴とする請求項１５または１６に記載の表示制御装置の制御方法。
【請求項１８】
前記第一の軸は前記表示手段の長辺方向であり、前記第二の軸は表示手段の短辺方向であることを特徴とする請求項１５または１６に記載の表示制御装置の制御方法。
【請求項１９】
コンピュータに、請求項１５乃至１８のいずれか１項に記載された制御方法を実行させるためのプログラム。
【手続補正２】
【補正対象書類名】明細書
【補正対象項目名】０００１
【補正方法】変更
【補正の内容】
【０００１】
本発明は、タッチ操作可能な表示手段に画像を表示するための表示制御装置、その制御方法及びプログラムに関する。
【手続補正３】
【補正対象書類名】明細書
【補正対象項目名】０００６
【補正方法】変更
【補正の内容】
【０００６】
本発明の表示制御装置は、表示手段に対するタッチ操作を検出する検出手段と、複数の画像のデータを一時格納する記憶手段と、前記検出手段によって前記表示手段にタッチしたままタッチ位置を移動するタッチ操作を検出したことに応じて、前記表示手段に表示された画像をスクロールして前記記憶手段に一時格納された他の画像を表示するスクロール処理を行い、前記検出手段によって前記表示手段にタッチしたままタッチ位置を所定の距離以上移動するタッチ操作を検出した場合は、前記記憶手段に一時格納されている前記複数の画像のデータを他の複数の画像のデータに更新し、当該他の複数の画像に含まれる画像を前記表示手段に表示する更新処理を行う表示制御手段とを備えたことを特徴とする。